(57)【特許請求の範囲】
【請求項１】
終端接続部本体内に電力ケーブルを挿入し、その終端接続部本体の外周に設けた固定用バンドで上記終端接続部本体を上記電力ケーブルの外周面に密着させた状態に締め付け固定するようにした電力ケーブルの終端接続部において、上記固定用バンドを覆う略筒状の保護カバーを備え、その保護カバーに電力ケーブルの位相に応じて異なる着色を施したことを特徴とする電力ケーブルの終端接続部。
【請求項２】
前記略筒状の保護カバーの一端を終端接続部本体に一体もしくは一体的に連結固定して、上記保護カバーを反転可能に構成したことを特徴とする請求項１記載の電力ケーブルの終端接続部。
【発明の詳細な説明】
【０００１】
【発明の属する技術分野】
本発明は電力ケーブルの終端接続部に関する。更に詳しくは、終端接続部本体内に嵌合接続した電力ケーブルを上記終端接続部本体の外周面に設けた固定用バンドで締め付け固定するようにした電力ケーブルの終端接続部に関する。
【０００２】
【従来の技術】
従来、電力ケーブルの終端接続部は、例えば図４に示すようにゴム等よりなる略筒状の接続部本体１内に電力ケーブル２を挿入し、その電力ケーブル２と、それと接続すべき電力ケーブル３の導体（不図示）とを導体接続部４で導電接続すると共に、上記終端接続部本体１の一端側の外周に設けた固定用バンド５により上記終端接続部本体１を上記電力ケーブル２の外周面に気密に密着させた状態に締め付け固定するようにしている。図中、１ａは上記終端接続部本体１と一体もしくは一体的に設けた雨覆である。
【０００３】
また上記固定用バンド５を紫外線等から保護するために、耐候性のよい粘着性の保護テープ６を上記固定用バンド５の外周に巻き付けると共に、電力ケーブル２の周面には位相毎に色の異なる粘着性の着色テープ７を巻き付けて識別するようにしている。例えば３相の交流ケーブルにあっては、位相毎に赤・青・白の着色テープ５を巻き付けるようにしている。
【０００４】
【発明が解決しようとする課題】
ところが、上記のような保護テープや着色テープの巻き付け作業は、１つずつ手作業で行わなければならないので、煩雑かつ面倒であると共に、作業に多大な労力と時間を要し、非能率的である等の問題があった。また作業者の熟練度によってテープの巻き付け状態にバラツキが生じ、また慣れないとテープがずれたり剥がれて外観体裁を損ねる等の不具合があった。
【０００５】
本発明は上記の問題点に鑑みて提案されたもので、前記のような保護テープ等を用いることなく固定バンドを良好に保護できるようにすると共に、前記のような着色テープを用いることなく位相を識別することのできる電力ケーブルの終端接続部を提供することを目的とする。
【０００６】
【課題を解決するための手段】
上記の目的を達成するために本発明による電力ケーブルの終端接続部は、以下の構成としたものである。即ち、終端接続部本体内に電力ケーブルを挿入し、その終端接続部本体の外周に設けた固定用バンドで上記終端接続部本体を上記電力ケーブルの外周面に密着させた状態に締め付け固定するようにした電力ケーブルの終端接続部において、上記固定用バンドを覆う略筒状の保護カバーを備え、その保護カバーに電力ケーブルの位相に応じて異なる着色を施したことを特徴とする。
【０００７】
【発明の実施の形態】
以下、本発明を図に示す実施形態に基づいて具体的に説明する。図１は本発明による電力ケーブルの終端接続部の一実施形態を示す一部縦断側面図、図２（ａ）はその一部の拡大図、同図（ｂ）は（ａ）におけるｂ−ｂ線断面図であり、前記図４と同様の機能を有する部材には同一の符号を付して説明する。
【０００８】
図示例は終端接続部本体１の端部に設けた固定用バンド５の全周を覆うようにして、終端接続部本体１とは別体に形成した保護カバー８を上記本体１の外周に装着するようにしたもので、その保護カバー８は本実施形態においては耐候性および耐トラッキング性の優れた柔軟なゴム等によって全体略筒状に形成され、接続部本体１の外周に嵌めたとき、保護カバー８の両端部が接続部本体１の外周に密着固定するように構成されている。図中、８１は上記筒状の保護カバー８の一部を半径方向外方に突出させて形成した膨出部で、その膨出部８１により上記固定用バンド５のバックル部５１を覆う構成である。
【０００９】
また上記保護カバー８には、使用する電力ケーブルの位相に応じて異なる着色を施こすようにしたもので、例えば３相交流ケーブルの第１相には赤、第２相には青、第３相には白の着色を施こす。それらの着色は保護カバー８全体に施してもよいが、保護カバー外表面の一部にのみ施してもよい。
【００１０】
上記接続部本体１に電力ケーブル２を接続するに当たっては、保護カバー８を図２（ａ）の鎖線示のように電力ケーブル２の外周に嵌めた状態で、該電力ケーブル２を接続部本体１内に挿入し、図に省略したケーブル導体の接続作業を行った後、接続部本体１の端部に固定用バンド５を巻き付けて締め付け固定する。次いで、上記保護カバー８を固定用バンド５の外周位置に移動して被せればよい。
【００１１】
図３は本発明による終端接続部の他の実施形態を示すもので、柔軟なゴム等よりなる筒状の保護カバー８の一端８ａ側を終端接続部本体１の外周面に接着もしくは溶着等で一体的に固着する、あるいは保護カバー８の一端８ａ側が終端接続部本体１と一体に連続するように上記保護カバー８と終端接続部本体１とを一体に形成することによって、前記固定用バンド５の取付時に上記保護カバー８を同図実線示のように反転可能に構成したものである。
【００１２】
終端接続部本体１内に電力ケーブル２を嵌合接続して固定用バンド５を取付ける際には、上記保護カバー８を同図実線示のように反転した状態でバンド５を締め付け固定し、その後、上記保護カバー８を同図鎖線示のように固定用バンド５の外周に被せることによって、該固定用バンド５を保護カバー８で覆うようにすればよい。
【００１３】
上記のように保護カバー８を終端接続部本体１と一体もしくは一体的に設けると、不用意に保護カバー８がずれたり、紛失するのを防止することができる。この場合にも上記保護カバー８に前記実施形態と同様の要領で電力ケーブルの位相に応じて異なる着色を施すものである。
【００１４】
【発明の効果】
以上のように本発明による電力ケーブルの終端接続部は、前記のように固定用バンド５を覆う保護カバー８を備え、その保護カバー８に電力ケーブル２の位相に応じて異なる着色を施したから、その保護カバー８を固定用バンド５に被せるだけで該固定用バンド５の保護およびケーブル位相の識別表示が可能となる。その結果、前記従来のような保護テープ６や着色テープ７等の面倒な巻き付け作業が不要となり、ケーブル接続作業を容易・迅速に行うことができると共に、作業コストを大幅に削減できる等の効果がある。
【図面の簡単な説明】
【図１】本発明による電力ケーブルの終端接続部の一実施形態を示す側面図。
【図２】（ａ）はその一部の拡大図。
（ｂ）は（ａ）におけるｂ−ｂ線断面図。
【図３】本発明による電力ケーブルの終端接続部の他の実施形態を示す側面図。
【図４】（ａ）は従来の電力ケーブルの終端接続部の側面図。
（ｂ）は（ａ）におけるｂ−ｂ線拡大断面図。
【符号の説明】
１  終端接続部本体
２  電力ケーブル
５  固定バンド
８  保護カバー
【図１】
0003874670.tif 000002
【図２】
0003874670.tif 000003
【図３】
0003874670.tif 000004
【図４】
0003874670.tif 000005